(57)【要約】      （修正有）【課題】マシン型通信（ＭＴＣ）のための拡張された送信時間間隔（ＴＴＩ）バンドリング設計についての技法を提供する。【解決手段】方法は、１つまたは複数の固定されたバンドリングサイズへの、１つまたは複数のアップリンクまたはダウンリンクチャネルのマッピングを決定することであって、１つまたは複数の固定されたバンドリングサイズの各々は、チャネルがそれらを通じて送信されるべき送信時間間隔（ＴＴＩ）の数を示す、決定すること（５０２）と、マッピングに基づいて１つまたは複数のアップリンクまたはダウンリンクチャネルの送信を処理すること（５０４）と、を含む。【選択図】図５
2019075790.tif 000002
【特許請求の範囲】
【請求項１】
ワイヤレスデバイスによるワイヤレス通信のための方法であって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を備える、方法。
【請求項２】
チャネルについてのバンドリングサイズは、１つまたは複数の他のチャネルについてのバンドリングサイズを決定づける、Ｃ１に記載の方法。
【請求項３】
アップリンクチャネルについてのバンドリングサイズは、１つまたは複数のダウンリンクチャネルについてのバンドリングサイズを決定づける、Ｃ２に記載の方法。
【請求項４】
ダウンリンクチャネルについてのバンドリングサイズは、１つまたは複数のアップリンクチャネルについてのバンドリングサイズを決定づける、Ｃ２に記載の方法。
【請求項５】
物理ブロードキャストチャネル（ＰＢＣＨ）についてのバンドリングサイズは、システム情報ブロック（ＳＩＢ）および拡張された物理ダウンリンク制御チャネル（ＰＤＣＣＨ）についてのバンドリングサイズを決定づける、Ｃ３に記載の方法。
【請求項６】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、Ｃ１に記載の方法。
【請求項７】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、Ｃ１に記載の方法。
【請求項８】
前記マッピングは、プライマリ同期信号（ＰＳＳ）、セカンダリ同期信号（ＳＳＳ）、物理ブロードキャストチャネル（ＰＢＣＨ）、またはシステム情報ブロック（ＳＩＢ）のうちの少なくとも１つのバンドリングサイズに、Ｍｓｇ １（ランダムアクセスチャネル（ＲＡＣＨ））、Ｍｓｇ ２（ＲＡＣＨ応答）、Ｍｓｇ ３、またはＭｓｇ ４のうちの少なくとも１つのバンドリングサイズをマッピングすることを備える、Ｃ１に記載の方法。
【請求項９】
異なるＲＡＣＨメッセージのバンドリングサイズに基づく第１のＲＡＣＨメッセージのバンドリングサイズをさらに備える、Ｃ８に記載の方法。
【請求項１０】
前記１つまたは複数のアップリンクまたはダウンリンクチャネルチャネルは、
物理アップリンク共有チャネル（ＰＵＳＣＨ）、ランダムアクセスチャネル（ＲＡＣＨ）Ｍｓｇ １、またはＲＡＣＨ Ｍｓｇ ３のうちの少なくとも１つ
を備える、Ｃ１に記載の方法。
【請求項１１】
前記１つまたは複数のアップリンクまたはダウンリンクチャネルは、物理ダウンリンク制御チャネル（ＰＤＣＣＨ）、物理ブロードキャストチャネル（ＰＢＣＨ）、物理ＨＡＲＱインジケータチャネル（ＰＨＩＣＨ）、またはシステム情報ブロック（ＳＩＢ）のうちの少なくとも１つを備える、Ｃ１に記載の方法。
【請求項１２】
前記処理することは、アップリンクチャネルについての割り当てられたバンドリングサイズに基づいて、ダウンリンクチャネルについてのバンドリングサイズを識別することを備える、Ｃ１に記載の方法。
【請求項１３】
前記処理することは、物理アップリンク共有チャネル（ＰＵＳＣＨ）について割り当てられたバンドリングサイズに基づいて、物理ダウンリンク制御チャネル（ＰＤＣＣＨ）または物理ＨＡＲＱインジケータチャネル（ＰＨＩＣＨ）のうちの少なくとも１つについてのバンドリングサイズを識別することを備える、Ｃ１２に記載の方法。
【請求項１４】
前記処理することは、ダウンリンクチャネルについてのバンドリングサイズに基づいてアップリンクチャネルについてのバンドリングサイズを識別することを備える、Ｃ１に記載の方法。
【請求項１５】
前記処理することは、拡張された物理ダウンリンク制御チャネル（ＰＤＣＣＨ）またはＰＤＣＣＨについてのバンドリングサイズに基づいて、物理アップリンク制御チャネル（ＰＵＣＣＨ）肯定応答（ＡＣＫ）についてのバンドリングサイズを識別することを備える、Ｃ１４に記載の方法。
【請求項１６】
前記処理することは、前記マッピングに従って前記１つまたは複数のアップリンクまたはダウンリンクチャネルを送信することを備える、Ｃ１に記載の方法。
【請求項１７】
前記処理することは、前記マッピングに従って送信された前記１つまたは複数のアップリンクまたはダウンリンクチャネルを受信することを備える、Ｃ１に記載の方法。
【請求項１８】
前記マッピングすることは、少なくとも１つのチャネルについて、単一の固定バンドリングサイズへの前記チャネルの１対１のマッピングを備える、Ｃ１に記載の方法。
【請求項１９】
前記マッピングすることは、少なくとも１つのチャネルについて、潜在的なバンドリングサイズのセットへの前記チャネルの一対多のマッピングを備える、Ｃ１に記載の方法。    
【請求項２０】
ブラインド検出を介して潜在的なバンドリングサイズの前記セットから使用される実際のバンドリングサイズを決定することをさらに備える、Ｃ１９に記載の方法。
【請求項２１】
潜在的なバンドリングサイズの前記セットからの１つまたは複数のバンドリングサイズを示すシグナリングを受信することをさらに備える、Ｃ２０に記載の方法。
【請求項２２】
ワイヤレスデバイスによるワイヤレス通信のための装置であって、
１つまたは複数の固定されたバンドリングサイズへの、１つまたは複数のアップリンクまたはダウンリンクチャネルのマッピングを決定するための手段と、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理するための手段と
を備える、装置。
【請求項２３】
チャネルについてのバンドリングサイズは、１つまたは複数の他のチャネルについてのバンドリングサイズを決定づける、Ｃ２２に記載の装置。
【請求項２４】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、Ｃ２２に記載の装置。
【請求項２５】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、Ｃ２２に記載の装置。
【請求項２６】
前記処理することは、アップリンクチャネルについての割り当てられたバンドリングサイズに基づいてダウンリンクチャネルについてのバンドリングサイズを識別することを備える、Ｃ２２に記載の装置。
【請求項２７】
前記マッピングすることは、少なくとも１つのチャネルについて、単一の固定バンドリングサイズへの前記チャネルの１対１のマッピングを備える、Ｃ２２に記載の装置。
【請求項２８】
前記マッピングすることは、少なくとも１つのチャネルについて、潜在的なバンドリングサイズのセットへの前記チャネルの一対多のマッピングを備える、Ｃ２２に記載の装置。
【請求項２９】
ワイヤレスデバイスによるワイヤレス通信のための装置であって、
少なくとも１つのプロセッサであって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を行うように構成された少なくとも１つのプロセッサと、
前記少なくとも１つのプロセッサに結合されたメモリと
を備える、装置。
【請求項３０】
命令を記憶したコンピュータ読取可能な媒体を備えるワイヤレス通信のためのコンピュータプログラム製品であって、前記命令は、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を行うために１つまたは複数のプロセッサによって実行可能である、コンピュータプログラム製品。
【発明の詳細な説明】
【米国特許法第１１９条に基づく優先権の主張】
【０００１】
[0001]  本願は、２０１３年４月５日に出願された米国仮特許出願番号第６１／８０９，１８４号の利益を主張し、その全内容は、参照により本明細書に組み込まれている。
【技術分野】
【０００２】
[0001]  本開示の特定の態様は、一般に、ワイヤレス通信に関し、より具体的には、マシン型通信（ＭＴＣ：machine type communications）のための拡張された（enhanced）送信時間間隔（ＴＴＩ：transmission time interval）バンドリング設計についての技法に関する。
【背景技術】
【０００３】
[0003]  ワイヤレス通信システムは、音声、データなどのような様々なタイプの通信コンテンツを提供するために広く展開されている。これらのシステムは、利用可能なシステムリソース（例えば、帯域幅および送信電力など）を共有することによって複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥアドバンストシステム、および直交周波数分割多元接続（ＯＦＤＭＡ）システムを含む。
【０００４】
[0004]  一般に、ワイヤレス多元接続通信システムは、複数のワイヤレス端末のための通信を同時にサポートし得る。各端末は、順方向リンクおよび逆方向リンク上での送信を介して１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレス通信ネットワークは、いくつものワイヤレスデバイスのための通信をサポートし得るいくつもの基地局を含み得る。ワイヤレスデバイスは、ユーザ機器（ＵＥ）および遠隔デバイスを備える。ＵＥは、人による直接の制御の下で動作するデバイスであり得る。ＵＥのいくつかの例は、セルラフォン、スマートフォン、携帯情報端末（ＰＤＡ）、ワイヤレスモデム、ハンドヘルドデバイス、ラップトップコンピュータ、タブレット、ネットブック、スマートブック、ウルトラブックなどを含む。遠隔デバイスは、人によって直接的に制御されることなく動作するデバイスであり得る。遠隔デバイスのいくつかの例は、センサ、メータ、モニタ、ロケーションタグなどを含む。遠隔デバイスは、基地局、別の遠隔デバイス、または他の何らかのエンティティと通信し得る。マシン型通信（ＭＴＣ）は、通信の少なくとも一端の少なくとも１つの遠隔デバイスを含む通信を指す。
【発明の概要】
【０００６】
[0006]  本開示の特定の態様は、一般に、ワイヤレス通信に関し、より具体的には、マシン型通信（ＭＴＣ）のための拡張された送信時間間隔（ＴＴＩ）バンドリング設計についての技法に関する。
【０００７】
[0007]  本開示の特定の態様は、ワイヤレスデバイスによるワイヤレス通信のための方法、対応する装置およびプログラム製品を提供する。方法は、一般に、１つまたは複数の固定されたバンドリングサイズへの、１つまたは複数のアップリンクまたはダウンリンクチャネルのマッピングを決定することであって、１つまたは複数の固定されたバンドリングサイズの各々は、チャネルがそれらを通じて送信されるべき送信時間間隔（ＴＴＩ）の数を示す、決定することと、マッピングに基づいて１つまたは複数のアップリンクまたはダウンリンクチャネルの送信を処理することと、を含む。
【０００８】
[0008]  諸態様において、対応する装置は、一般に、１つまたは複数の固定されたバンドリングサイズへの、１つまたは複数のアップリンクまたはダウンリンクチャネルのマッピングを決定するための手段であって、１つまたは複数の固定されたバンドリングサイズの各々は、チャネルがそれらを通じて送信されるべき送信時間間隔（ＴＴＩ）の数を示す、決定するための手段と、マッピングに基づいて１つまたは複数のアップリンクまたはダウンリンクチャネルの送信を処理するための手段と、を含む。
【０００９】
[0009]  諸態様において、対応する装置は、一般に、１つまたは複数の固定されたバンドリングサイズへの、１つまたは複数のアップリンクまたはダウンリンクチャネルのマッピングを決定することであって、１つまたは複数の固定されたバンドリングサイズの各々は、チャネルがそれらを通じて送信されるべき送信時間間隔（ＴＴＩ）の数を示す、決定することと、マッピングに基づいて１つまたは複数のアップリンクまたはダウンリンクチャネルの送信を処理することと、を行うように構成された少なくとも１つのプロセッサを含む。装置はまた、一般に、少なくとも１つのプロセッサに結合されたメモリを含む。
【００１０】
[0010]  諸態様において、対応するコンピュータプログラムは、一般に、命令を記憶したコンピュータ読取可能な媒体であって、該命令は、１つまたは複数の固定されたバンドリングサイズへの、１つまたは複数のアップリンクまたはダウンリンクチャネルのマッピングを決定することであって、１つまたは複数の固定されたバンドリングサイズの各々は、チャネルがそれらを通じて送信されるべき送信時間間隔（ＴＴＩ）の数を示す、決定することと、マッピングに基づいて１つまたは複数のアップリンクまたはダウンリンクチャネルの送信を処理することと、のために１つまたは複数のプロセッサによって実行可能である。
【００１１】
[0011]  本開示の特定の態様は、ワイヤレスデバイスによるワイヤレス通信のための方法、対応する装置およびプログラム製品を提供する。方法は、一般に、少なくとも１つのチャネルの送信に使用されるべき送信時間間隔（ＴＴＩ）の数を指定するバンドリングサイズについての持続的スケジューリング（ＰＳ）割当てを決定することと、１つまたは複数のＴＴＩにおいて少なくとも１つのチャネルを送信することと、受信デバイスが少なくとも１つのチャネルの受信に成功したというインジケーションを受信することに応答して、バンドリングサイズによって指定されたＴＴＩの数に到達する前に少なくとも１つのチャネルの送信を終了させることと、を含む。
【００１２】
[0012]  本開示の特定の態様は、ワイヤレスデバイスによるワイヤレス通信のための方法、対応する装置およびプログラム製品を提供する。方法は、一般に、少なくとも１つのチャネルの送信に使用されるべき送信時間間隔（ＴＴＩ）の数を指定するバンドリングサイズについての持続的スケジューリング（ＰＳ）割当てのインジケーションを受信することと、１つまたは複数のＴＴＩにおいて少なくとも１つのチャネルを受信することと、少なくとも１つのチャネルが成功裏に受信された場合に、バンドリングサイズによって指定されたＴＴＩの数に到達する前に少なくとも１つのチャネルの送信を終了させるためのインジケーションを送信することと、を含む。
【００１３】
[0013]  本開示の特定の態様は、ワイヤレスデバイスによるワイヤレス通信のための方法、対応する装置およびプログラム製品を提供する。該方法は、一般に、少なくとも１つのチャネルを送信するためにリソースブロック（ＲＢ）の固定された数についての持続的スケジューリング（ＰＳ）割当てを決定することと、少なくとも１つのチャネルを送信するときに、少なくとも１つの変調および符号化方式（ＭＣＳ）、レート、または送信電力を調整することと、を含む。
【００１４】
[0014]  本開示の特定の態様は、ワイヤレスデバイスによるワイヤレス通信のための方法、対応する装置およびプログラム製品を提供する。方法は、一般に、少なくとも１つのチャネルを送信するためにリソースブロック（ＲＢ）の固定された数についての持続的スケジューリング（ＰＳ）割当てを決定することと、少なくとも１つのチャネルの送信を処理することであって、変調および符号化方式（ＭＣＳ）、レート、または送信電力のうちの少なくとも１つは、少なくとも１つのチャネルを送信するときに調整され得る、処理することと、を含む。
【００１５】
[0015]  方法、装置、システム、コンピュータプログラム製品、および処理システムを含む、他の多数の態様が提供される。
【００１６】
[0016]  上述された本開示の特徴が詳細に理解されるように、上記では簡潔に概要を述べた、より具体的な説明が、諸態様に即して説明され、そのような態様のいくつかが添付の図面に示されている。しかしながら、以下の説明は他の同様に効果的な態様も認めうるので、添付の図面は、本開示の特定の典型的な態様を示すにすぎず、したがって本開示の範囲を限定するものとみなすべきではないことに留意されたい。
【図面の簡単な説明】
【００１７】
【図１】[0017]  図１は、本開示の特定の態様による、ワイヤレス通信ネットワークの例を概念的に示すブロック図である。
【図２】[0018]  図２は、本開示の特定の態様による、ワイヤレス通信ネットワークにおいてユーザ機器（ＵＥ）と通信する基地局の例を概念的に示すブロック図である。
【図３】[0019]  図３は、本開示の特定の態様による、ワイヤレス通信ネットワークにおけるフレーム構造の例を概念的に示すブロック図である。
【図４】[0020]  図４は、ノーマルサイクリックプリフィックスをもつ２つの例示的なサブフレームフォーマットを概念的に示すブロック図である。
【図５】[0021]  図５は、本開示の特定の態様による、ワイヤレスデバイスによって実行され得る拡張されたアップリンクカバレッジについての動作の例を示す。
【図６】[0022]  図６は、本開示の特定の態様による、ワイヤレスデバイスによって実行され得る拡張されたアップリンクカバレッジについての動作の例を示す。
【図７】[0023]  図７は、本開示の特定の態様による、ワイヤレスデバイスによって実行され得る拡張されたアップリンクカバレッジについての動作の例を示す。
【図８】[0024]  図８は、本開示の特定の態様による、ワイヤレスデバイスによって実行され得る拡張されたアップリンクカバレッジについての動作の例を示す。
【図９】[0025]  図９は、本開示の特定の態様による、ワイヤレスデバイスによって実行され得る拡張されたアップリンクカバレッジについての動作の例を示す。
【詳細な説明】
【００１８】
[0026]  本開示の態様は、マシン型通信（ＭＴＣ）のための拡張された送信時間間隔（ＴＴＩ）バンドリング設計についての技法を提供する。ＴＴＩバンドリングサイズは、１対１のまたは１対多のマッピングによって固定され得る。バンドリングサイズは、別のチャネルによってシグナリングされるために使用されるバンドリングサイズに基づいて、チャネルについて決定され得る。持続的スケジューリングはまた、チャネルを送信するために使用されることができ、ここで、変調および符号化方式（ＭＣＳ）、レート、または送信電力は、チャネルの送信のために調整されることができる。
【００１９】
[0027]  本明細書で説明される技法は、ＣＤＭＡ、ＴＤＭＡ、ＦＤＭＡ、ＯＦＤＭＡ、ＳＣ−ＦＤＭＡなどの様々なワイヤレス通信ネットワークおよび他のネットワークに使用され得る。「ネットワーク」および「システム」という用語は、しばしば交換可能に使用される。ＣＤＭＡネットワークは、ユニバーサル地上無線アクセス（ＵＴＲＡ）、ｃｄｍａ２０００などのような無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ）（登録商標）などの無線技術を実装し得る。ＯＦＤＭＡネットワークは、発展型ＵＴＲＡ（Ｅ−ＵＴＲＡ：Evolved UTRA）、ウルトラモバイル帯域幅（ＵＭＢ：Ultra Mobile Bandwidth）、ＩＥＥＥ８０２．１１（Ｗｉ−Ｆｉ（登録商標））、ＩＥＥＥ８０２．１６（ＷｉＭａｘ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。周波数分割多重（ＦＤＤ）および時分割多重（ＴＤＤ）の両方における３ＧＰＰロングタームエボリューション（ＬＴＥ）およびＬＴＥ−アドバンスト（ＬＴＥ−Ａ）は、ダウンリンクではＯＦＤＭＡを、アップリンクではＳＣ−ＦＤＭＡを適用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた団体からの文書内で説明されている。ｃｄｍａ２０００およびＵＭＢは、「第３世代パートナーシッププロジェクト２」（３ＧＰＰ２）と名付けられた団体からの文書内で説明されている。本明細書で説明される技法は、上述されたワイヤレスネットワークおよび無線技術、並びに、他のワイヤレスネットワークおよび無線技術に対して使用され得る。明確化のために、これらの技法の特定の態様は、ＬＴＥ／ＬＴＥ−Ａについて下記で説明されており、ＬＴＥ／ＬＴＥ−アドバンストの用語が下記の説明の大部分で使用され得る。
【００２０】
［ワイヤレス通信システムの例］  
[0028]  図１は、ＬＴＥネットワークまたは他の何らかのワイヤレスネットワークであり得るワイヤレス通信ネットワーク１００を示す。ワイヤレスネットワーク１００は、いくつもの発展型ノードＢ（ｅＮＢ）１１０および他のネットワークエンティティを含み得る。ｅＮＢは、ユーザ機器（ＵＥ）と通信するエンティティであり、基地局、ノードＢ、アクセスポイントなどとも称され得る。各ｅＮＢは、特定の地理的エリアに通信カバレッジを提供し得る。３ＧＰＰにおいて、「セル」という用語は、その用語が使用されるコンテキストに応じて、このカバレッジエリアにサービスするｅＮＢおよび／またはｅＮＢサブシステムのカバレッジエリアを指し得る。
【００２１】
[0029]  ｅＮＢは、マクロセル、ピコセル、フェムトセル、および／または他のタイプのセルのために通信カバレッジを提供し得る。マクロセルは、比較的大きな地理的エリア（例えば、半径数キロメートル）をカバーし、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（例えば、家（home））をカバーし、このフェムトセルとの関連付けを有するＵＥ（例えば、クローズド加入者グループ（ＣＳＧ）のＵＥ）による制限付きアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは複数の（例えば、３つの）セルをサポートし得る。「ｅＮＢ」、「基地局」および「セル」という用語は、本明細書では交換可能に使用され得る。
【００２２】
[0030]  ワイヤレスネットワーク１００はまた、中継局を含み得る。中継局は、アップストリーム局（例えば、ｅＮＢまたはＵＥ）からデータ伝送を受信し、ダウンストリーム局（例えば、ＵＥまたはｅＮＢ）にデータ伝送を送ることができるエンティティである。中継局はまた、他のＵＥのための伝送を中継することができるＵＥであり得る。図１に示される例では、中継局１１０ｄは、ｅＮＢ１１０ａとＵＥ１２０ｄの間の通信を容易にするために、マクロｅＮＢ１１０ａおよびＵＥ１２０ｄと通信し得る。中継局は、中継ｅＮＢ、中継基地局、中継器、などとも呼ばれ得る。
【００２３】
[0031]  ワイヤレスネットワーク１００は、異なるタイプのｅＮＢ、例えば、マクロｅＮＢ、ピコｅＮＢ、フェムトｅＮＢ、中継ｅＮＢなどを含む異種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢが高い送信電力レベル（例えば、５〜４０ワット）を有し得るのに対し、ピコｅＮＢ、フェムトｅＮＢ、および中継ｅＮＢは、より低い送信電力レベル（例えば、０．１〜２ワット）を有し得る。
【００２４】
[0020]  ネットワークコントローラ１３０は、ｅＮＢのセットに結合し、これらのｅＮＢに対して調整および制御を提供し得る。ネットワークコントローラ１３０は、バックホールを介してｅＮＢと通信し得る。ｅＮＢは、また、例えば、直接的に、あるいはワイヤレスまたはワイヤラインバックホールを介して間接的に、互いに通信し得る。
【００２５】
[0033]  ＵＥ １２０（例えば、１２０ａ、１２０ｂ、１２０ｃ）は、ワイヤレスネットワーク１００全体にわたって分散されており、各ＵＥは、固定式または移動式であり得る。ＵＥは、アクセス端末、端末、モバイル局、加入者ユニット、局などとも呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブックなどであり得る。
【００２６】
[0034]  図２は、図１における基地局／ｅＮＢのうちの１つおよびＵＥのうちの１つであり得る、基地局／ｅＮＢ１１０およびＵＥ１２０の設計のブロック図を示す。基地局１１０は、Ｔ本のアンテナ２３４ａ〜２３４ｔを備えることができ、ＵＥ１２０は、Ｒ本のアンテナ２５２ａ〜２５２ｒを備えることができ、ここで、一般に、Ｔ≧１およびＲ≧１である。
【００２７】
[0035]  基地局１１０において、送信プロセッサ２２０は、１つまたは複数のＵＥのためのデータソース２１２からデータを受信し、ＵＥから受信されたＣＱＩに基づいて各ＵＥについて１つまたは複数の変調および符号化方式（ＭＣＳ）を選択し、ＵＥのために選択されたＭＣＳに基づいて各ＵＥについてデータを処理（例えば、符号化および変調）し、すべてのＵＥにデータシンボルを提供し得る。送信プロセッサ２２０はまた、システム情報（例えば、ＳＲＰＩについてなど）および制御情報（例えば、ＣＱＩリクエスト、許可、上位レイヤシグナリングなど）を処理し、オーバーヘッドシンボルおよび制御シンボルを提供し得る。プロセッサ２２０はまた、基準信号（例えば、ＣＲＳ）および同期信号（例えば、ＰＳＳおよびＳＳＳ）のための基準信号を生成し得る。送信（ＴＸ）多入力多出力（ＭＩＭＯ）プロセッサ２３０は、適用可能であれば、データシンボル、制御シンボル、オーバーヘッドシンボル、および／または基準シンボルに対して空間処理（例えば、プリコーディング）を実行し、Ｔ個の出力シンボルストリームをＴ個の変調器（ＭＯＤ）２３２ａ〜２３２ｔに提供し得る。各変調器２３２は、それぞれの出力シンボルストリーム（例えば、ＯＦＤＭについてなど）を処理して、出力サンプルストリームを取得し得る。各変調器２３２は、この出力サンプルストリームをさらに処理（例えば、アナログ変換、増幅、フィルタリング、およびアップコンバート）して、ダウンリンク信号を取得し得る。変調器２３２ａ〜２３２ｔからのＴ個のダウンリンク信号は、Ｔ個のアンテナ２３４ａ〜２３４ｔを介してそれぞれ送信され得る。
【００２８】
[0036]  ＵＥ１２０において、アンテナ２５２ａ〜２５２ｒは、基地局１１０および／または他の基地局からダウンリンク信号を受信し、受信された信号をそれぞれ復調器（ＤＥＭＯＤ）２５４ａ〜２５４ｒに提供し得る。各復調器２５４は、その受信された信号を調整（例えば、フィルタリング、増幅、ダウンコンバート、およびデジタル化）して、入力サンプルを取得し得る。各復調器２５４は、（例えば、ＯＦＤＭなどのために）入力サンプルをさらに処理して、受信されたシンボルを取得し得る。ＭＩＭＯ検出器２５６は、Ｒ個の復調器２５４ａ〜２５４ｒすべてからの受信されたシンボルを取得し、適用可能であれば、受信されたシンボルに対してＭＩＭＯ検出を実行し、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、ＲＳＲＰ、ＲＳＳＩ、ＲＳＲＱ、ＣＱＩなどを決定し得る。
【００２９】
[0037]  アップリンク上では、ＵＥ１２０において、送信プロセッサ２６４が、データソース２６２からデータを、コントローラ／プロセッサ２８０から制御情報（例えば、ＲＳＲＰ、ＲＳＳＩ、ＲＳＲＱ、ＣＱＩなどを備える報告のための）を受信し処理し得る。プロセッサ２６４はまた、１つまたは複数の基準信号のための基準シンボルを生成し得る。送信プロセッサ２６４からのシンボルは、適用可能であれば、ＴＸ ＭＩＭＯプロセッサ２６６によってプリコードされ、変調器２５４ａ〜２５４ｒ（例えば、ＳＣ−ＦＤＭ、ＯＦＤＭなどのため）によってさらに処理され、基地局１１０に送信され得る。基地局１１０では、ＵＥ１２０および他のＵＥからのアップリンク信号が、アンテナ２３４によって受信され、復調器２３２によって処理され、適用可能な場合にはＭＩＭＯ検出器２３６によって検出され、受信プロセッサ２３８によってさらに処理されて、ＵＥ１２０によって送信された、復号されたデータおよび制御情報を取得し得る。プロセッサ２３８は、復号されたデータをデータシンク２３９に、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３０】
[0038]  コントローラ／プロセッサ２４０および２８０は、基地局１１０およびＵＥ１２０における動作をそれぞれ指示し得る。基地局１１０におけるプロセッサ２４０および／または他のプロセッサおよびモジュール、および／または、ＵＥ１２０におけるプロセッサ２８０および／または他のプロセッサおよびモジュールは、本明細書で説明された技法についての処理を実行または指示し得る。メモリ２４２および２８２はそれぞれ、基地局１１０およびＵＥ１２０のためのデータおよびプログラムコードを記憶し得る。スケジューラ２４６は、ダウンリンクおよび／またはアップリンク上のデータ送信のためにＵＥをスケジューリングし得る。
【００３１】
[0039]  ＵＥ１２０にデータを送信するときには、基地局１１０は、データ割当てサイズに少なくとも部分的に基づいてバンドリングサイズを決定し、決定されたバンドリングサイズのバンドリングされた連続的なリソースブロック内のデータをプリコーディングするように構成され、各バンドル内のリソースブロックは、共通プリコーディング行列でプリコーディングされ得る。すなわち、リソースブロック内のＵＥ−ＲＳのような基準信号および／またはデータは、同じプリコーダを使用してプリコーディングされ得る。バンドリングされたＲＢの各ＲＢにおけるＵＥ−ＲＳのために使用される電力レベルは、また、同じであり得る。
【００３２】
[0040]  ＵＥ１２０は、基地局１１０から送信されたデータを復号するために相補的な処理（complementary processing）を行うように構成され得る。例えば、ＵＥ１２０は、連続的なリソースブロック（ＲＢ）のバンドルにおいて基地局から送信される受信データのデータ割当てサイズに基づいてバンドリングサイズを決定することであって、各バンドルにおけるリソースブロック内の少なくとも１つの基準信号は共通プリコーディングマトリックスでプリコードされる、決定することと、基地局から送信される１つまたは複数の基準信号（ＲＳ）および決定されたバンドリングサイズに基づいて少なくとも１つのプリコードされたチャネルを推定することと、推定されたプリコードされたチャネルを使用して受信されたバンドルを復号することと、を行うように構成され得る。
【００３３】
[0041]図３は、ＬＴＥにおけるＦＤＤのための例示的なフレーム構造３００を示す。ダウンリンクおよびアップリンクの各々についての送信タイムラインは、無線フレームの単位（units of radio frames）に分割され得る。各無線フレームは、所定の持続時間（例えば、１０ミリ秒（ｍｓ））を有することができ、０〜９のインデックスを有する１０個のサブフレームに分割され得る。各サブフレームは、２つのスロットを含み得る。よって、各無線フレームは、０〜１９のインデックスを有する２０個のスロットを含み得る。各スロットは、Ｌ個のシンボル期間、例えば、ノーマルサイクリックプリフィックスの場合には７個のシンボル期間を（図２に示されるように）、または、拡張サイクリックプリフィックスの場合には６個のシンボル期間を含み得る。各サブフレームにおける２Ｌ個のシンボル期間は、０〜２Ｌ−１のインデックスを割り当てられ得る。
【００３４】
[0042]  ＬＴＥでは、ｅＮＢは、ｅＮＢによってサポートされる各セルについてシステム帯域幅の中心１．０８ＭＨｚにおいてダウンリンクでプライマリ同期信号（ＰＳＳ）およびセカンダリ同期信号（ＳＳＳ）を送り得る。ＰＳＳおよびＳＳＳは、図３において示されるように、ノーマルサイクリックプリフィックスをもつ各無線フレームのサブフレーム０および５において、それぞれシンボル期間６および５で送られ得る。ＰＳＳおよびＳＳＳは、セルのサーチおよび取得のためにＵＥによって使用され得る。ｅＮＢは、ｅＮＢによってサポートされる各セルについて、システム帯域幅にわたってセル固有基準信号（ＣＲＳ）を送信し得る。ＣＲＳは、各サブフレームの特定のシンボル期間において送信され得、チャネル推定、チャネル品質測定、および／または他の機能を実行するためにＵＥによって使用され得る。ｅＮＢはまた、特定の無線フレームのスロット１内のシンボル期間０〜３において物理ブロードキャストチャネル（ＰＢＣＨ）を送信し得る。ＰＢＣＨは、いくらかのシステム情報を搬送し得る。ｅＮＢは、ある特定のサブフレームにおいて物理ダウンリンク共有チャネル（ＰＤＳＣＨ）上でシステム情報ブロック（ＳＩＢｓ）などの他のシステム情報を送信し得る。ｅＮＢは、サブフレームの最初のＢ個のシンボル期間において物理ダウンリンク制御チャネル（ＰＤＣＣＨ）で制御情報／データを送信し得、ここで、Ｂは各サブフレームについて設定可能であり得る。ｅＮＢは、各サブフレームの残りのシンボル期間においてＰＤＳＣＨ上でトラフィックデータおよび／または他のデータを送信し得る。
【００３５】
[0043]  図４は、ノーマルサイクリックプリフィックスをもつ２つの例示的なサブフレームフォーマット４１０および４２０を示す。利用可能な時間周波数リソースは、リソースブロックに分割され得る。各リソースブロックは、１つのスロットにおいて１２個のサブキャリアをカバーし得、多くのリソース要素を含み得る。各リソース要素は、１つのシンボル期間において１つのサブキャリアをカバーすることができ、そして１つの変調シンボルを送るために使用されることができ、それは、実数値または複素数値であり得る。
【００３６】
[0044]  サブフレームフォーマット４１０は、２つのアンテナのために使用され得る。ＣＲＳは、シンボル期間０、４、７、および１１においてアンテナ０および１から送信され得る。基準信号は、送信機および受信機によってアプリオリに知られている信号であり、パイロットとも呼ばれ得る。ＣＲＳは、例えば、セル識別情報（ＩＤ）に基づいて生成される、セルに固有の基準信号である。図４では、ラベルＲａを有する所与のリソースエレメントに関して、そのリソースエレメント上でアンテナａからの変調シンボルが送信され得、そのリソースエレメント上で他のアンテナからの変調シンボルは送信されない。サブフレームフォーマット４２０は、４つのアンテナとともに使用され得る。ＣＲＳは、シンボル期間０、４、７、および１１においてアンテナ０および１から、シンボル期間１および８においてアンテナ２および３から送信され得る。サブフレームフォーマット４１０および４２０の両方について、ＣＲＳは、セルＩＤに基づいて決定され得る、均等に間隔が空けられたサブキャリアで送信され得る。ＣＲＳは、それらのセルＩＤに応じて、同じまたは異なるサブキャリアで送信し得る。サブフレームフォーマット４１０および４２０の両方について、ＣＲＳについて使用されないリソースエレメントは、データ（例えば、トラフィックデータ、制御データ、および／または他のデータ）を送信するために使用され得る。
【００３７】
[0045]  ＬＴＥにおけるＰＳＳ、ＳＳＳ、ＣＲＳ、およびＰＢＣＨについては、「Evolved Universal Terrestrial Radio Access (E-UTRA); Physical Channels and Modulation」と題された、３ＧＰＰ ＴＳ ３６．２１１に説明されており、これは公的に入手可能である。
【００３８】
[0046]  インターレース構造は、ＬＴＥにおけるＦＤＤについてはダウンリンクおよびアップリンクの各々に使用され得る。例えば、０〜のインデックスを有するＱ個のインターレースが定義され得、ここで、Ｑは、４、６、８、１０、または他の何らかの値に等しくなり得る。各インターレースは、Ｑ個のフレームによって離隔されたサブフレームを含み得る。特に、インターレースｑは、サブフレームｑ、ｑ＋Ｑ、ｑ＋２Ｑなどを含むことができ、ここで、ｑ∈｛０，...，Ｑ−１｝である。
【００３９】
[0047]  ワイヤレスネットワークは、ダウンリンクおよびアップリンク上でのデータ送信についてハイブリッド自動再送要求（ＨＡＲＱ）をサポートし得る。ＨＡＲＱについて、送信機（例えば、ｅＮＢ）は、パケットが受信機（例えば、ＵＥ）によって正確に複号されるまで、または他の何らかの終了条件に出遭うまでパケットの１つまたは複数の送信を送り得る。同期ＨＡＲＱについて、パケットのすべての送信は、単一のインターレースのサブフレームで送られ得る。非同期ＨＡＲＱについて、パケットの各送信は、任意のサブフレームにおいて送られ得る。
【００４０】
[0048]  ＵＥは、マルチプルなｅＮＢのカバレッジ内に位置し得る。これらのｅＮＢのうちの１つは、ＵＥにサービスするために選択され得る。サービングｅＮＢは、受信信号強度、受信信号品質、パスロスなどのような様々な基準に基づいて選択され得る。受信信号品質は、信号対雑音および干渉比（ＳＩＮＲ：signal-to-noise-and-interference ratio）または基準信号受信品質（ＲＳＲＱ）、あるいはいくつかの他の基準によって定められ得る。ＵＥは、該ＵＥが１つまたは複数の干渉ｅＮＢからの高い干渉を観測し得る、支配的な干渉シナリオで動作し得る。
【００４１】
［ＭＴＣのための拡張されたＴＴＩバンドリング設計の例］  
[0049]  従来のＬＴＥ設計の焦点は、スペクトル効率の改善、ユビキタスカバレッジ、および拡張されたサービス品質（ＱｏＳ）サポートなどに向けられている。現在のＬＴＥシステムのＤＬおよびアップリンクＵＬのリンクバジェットは、最新のスマートフォンおよびタブレットなどのハイエンドなデバイスのカバレッジのために設計される。しかしながら、低コストで低価格なデバイスも同様にサポートされる必要がある。例えば、ＭＴＣについては、最大帯域幅が低減され得、単一の受信無線周波数（ＲＦ）チェーンが使用され得、ピークレートが低減され得、送信電力が低減され得、および半二重動作が実行され得る。
【００４２】
[0050]  低コストに加え、リンクバジェットの要件は、例えば、地下（basement）にあるデバイスをカバーするための２０ｄＢのカバレッジエンハンスメントなど、増大され得る。このカバレッジ増大を満たすために、大きなＴＴＩバンドリングが、２０ｄＢのリンクバジェットゲインを達成するように提案されている。例えば、ダウンリンク（例えば、物理ブロードキャストチャネル（ＰＢＣＨ）、物理ダウンリンク制御チャネル（ＰＤＣＣＨ）および拡張されたＰＤＣＣＨ、物理ハイブリッド自動再送要求（ＨＡＲＱ）インジケータチャネル（ＰＨＩＣＨ）、並びに、物理ダウンリンク共有チャネル（ＰＤＳＣＨ））チャネルと、アップリンク（例えば、ランダムアクセスチャネル（ＲＡＣＨ）、物理アップリンク制御チャネル（ＰＵＣＣＨ）、および物理アップリンク共有チャネル（ＰＵＳＣＨ））チャネルとの両方のための大きなバンドリングサイズを用いた送信時間間隔（ＴＴＩ）バンドリングが使用され得る。
【００４３】
[0051]  しかしながら、大きなＴＴＩバンドリングサイズを用いると、電力消費およびシステム効率が、特に、ＵＥがＤＬおよびＵＬの両方について大きなバンドリングをサポートすることについての懸念事項となる。例えば、ＵＥは、ＰＤＣＣＨ許可を得るために６４のバンドリングをサポートし、次いで１２８のＰＵＳＣＨバンドリングを用いて送信し、次いで１６のバンドリングを用いてＤＬ ＡＣＫを受信するなどする必要があり得る。
【００４４】
[0052]  特定のシステム（例えば、ロングタームエボリューション（ＬＴＥ）Ｒｅｌｅａｓｅ ８）では、ＴＴＩ（例えば、サブフレーム）バンドリングは、ユーザ機器（ＵＥ）ごとに構成され得る。サブフレームバンドリング動作は、パラメータｔｔｉＢｕｎｄｌｉｎｇによって構成され、それは、より上位のレイヤによって提供される。通常、ＴＴＩバンドリングは、マルチプルなＴＴＩを介してアップリンク共有チャネルにおいてＵＥから基地局にデータを送ることによって実行され、バンドリングは、他のアップリンク信号／トラフィック（例えば、アップリンク制御情報）には適用されない。
【００４５】
[0053]  バンドリングサイズは、４つのＴＴＩ（サブフレーム）で固定されており、すなわち、ＰＵＳＣＨは、４つの連続したサブフレームにおいて送信され、同じＨＡＲＱ処理の数は、バンドリングされたサブフレームの各々において使用される。リソース割当てのサイズは、３つ以下のリソースブロック（ＲＢ）に制限される。変調次数（modulation order）は、２（４位相偏移変調（ＱＰＳＫ））にセットされる。各バンドルは、単一のリソースとして取り扱われ、例えば、単一の許可および単一のＨＡＲＱ肯定応答（ＡＣＫ）が各バンドルについて使用される。
【００４６】
[0054]  ＴＴＩバンドリングは通常、低いレートのトラフィックに使用される。例えば、ボイスオーバインターネットプロトコル（ＶｏＩＰ）パケットが、低いアップリンクリンクバジェットが原因で単一のＴＴＩでは送信されることができない場合、レイヤ２（Ｌ２）セグメンテーション（segmentation）が適用され得る。例えば、ＶｏＩＰパケットは、４つの連続したＴＴＩで送信される４つの無線リンク制御（ＲＬＣ）プロトコルデータユニット（ＰＤＵ）においてセグメント化され得る。２〜３のＨＡＲＱ再送が、十分なカバレッジを達成するための目標とされ得る。
【００４７】
[0055]  しかしながら、従来のアプローチは非効率であり得る。追加の各セグメントは、１バイトのＲＬＣ、１バイトの媒体アクセス制御（ＭＡＣ）、および３バイトのＬ１巡回冗長検査（ＣＲＣ）オーバーヘッドを導入する。これは、例えば、３３バイトのＲＬＣサービスデータユニット（ＳＤＵ）サイズを仮定すると、１５％のオーバーヘッドになりうる。４セグメントの場合、４５％の追加のＬ１／Ｌ２オーバーヘッドが存在する。
【００４８】
[0056]  従来のアプローチのもう１つの欠点は、あらゆるセグメントについてのＨＡＲＱ送信／再送信がＰＤＣＣＨ上で許可を要求して、かなりのＰＤＣＣＨリソースを消費し得ることである。さらに、各ＨＡＲＱ送信または再送信の後には、ＰＨＩＣＨ上のＨＡＲＱフィードバックが続く。１０−３のＮＡＣＫ／ＡＣＫ誤り率を仮定すると、多数のＨＡＲＱフィードバック信号は、高いパケット損失の確率（high packet loss probabilities）をまねく。例えば、１２個のＨＡＲＱフィードバック信号が送られる場合、ＨＡＲＱフィードバック誤り率は、１．２×１０−２程度となり得る。１０−２よりも高いパケット損失率は、ＶｏＩＰトラフィックには許容されない。
【００４９】
[0057]  ＴＴＩバンドルごとの単一のＰＨＩＣＨ信号および単一のアップリンク許可のみの使用は、有利であり得る。Ｌ１およびＬ２オーバーヘッドは、Ｌ２のセグメンテーションが要求されないので、最小限に抑えられ得る。媒体データレートＰＵＳＣＨおよびＵＬ ＶｏＩＰについてのカバレッジの改善は、また、媒体データレートＰＵＳＣＨおよびＵＬ ＶｏＩＰの両方について１ｄＢの最小利得により望ましい。
【００５０】
[0058]  解決されるべき１つの問題は、（例えば、コンセントに差し込まれたデバイスのための）大きなバンドリング２０ｄＢのカバレッジについて効率をどのように増加させるかである。１つの問題は、常に最悪のケースを使用する代わりに、異なるバンドリングサイズが要求される異なるユーザ条件について、どのようにチャネル条件に適合させるかである。解決されるべきもう１つの問題は、例えば、ＵＥがバンドルサイズ１２８でＰＵＳＣＨを使用する場合、どのＰＨＩＣＨバンドルサイズを使用すべきかである。
【００５１】
[0059]  地下など、到達困難なロケーションに配置されたデバイスについて、低電力かつ大きなバンドリングを用いたＭＴＣ動作を拡張するための様々なアプローチが本明細書で提供される。バンドルサイズを決定するために、バンドルサイズマッピング、固定のバンドリングサイズ、およびバンドルサイズのシグナリングを使用して、大きなバンドリングサイズでの拡張されたＴＴＩバンドリングのための技法および装置が本明細書で提供される。また、大きなバンドルサイズおよび早期終了による持続的スケジューリングのための技法が本明細書で提供される。
【００５２】
[0060]  本開示の態様は、マシン型通信（ＭＴＣ）のための拡張された送信時間間隔（ＴＴＩ）バンドリング設計のための技法を提供する。ＴＴＩバンドリングサイズは、１対１または１対多のマッピングによって固定され得る。あるチャネルについてのバンドリングサイズは、別のチャネルによってシグナリングされるために使用されるバンドリングサイズに基づいて決定され（determined）（または決定づけられ（dictated））得る。持続的スケジューリングはまた、チャネルを送信するために使用されることができ、ここで、変調および符号化方式（ＭＣＳ）、レート、または送信電力は、チャネルの送信のために調整され得る。
【００５３】
[0061]  大幅にカバレッジを制限されたＵＥについて、すべてのＤＬチャネルについてのリンクバジェットの拡張が望まれ得る。特定の態様によれば、バンドリングサイズの固定されたセットは、すべてのチャネルについて使用され得る。諸態様では、任意のブラインド復号または追加のシグナリングを用いない１対１のマッピングが存在し得る。代替的に、ブラインド検出またはシグナリングによってさらにダウンセレクトされた（down-selected）、可能性のセットが制限された１対多のマッピングが存在し得る。
【００５４】
[0062]  特定の態様によれば、ＤＬおよびＵＬチャネルについてのバンドリングサイズの組合せが、仕様において定義され得る。代替的に、ＤＬおよびＵＬチャネルについてのバンドリングサイズは、１対１または１対多のマッピングにおいてシグナリングされ得る。例えば、ＰＢＣＨは、６４という固定されたバンドリングサイズを有し得、システム情報ブロック（ＳＩＢ）は、１２８という固定されたバンドリングサイズを有し得、ＲＡＣＨは、１６という固定されたバンドリングサイズを有し得、メッセージ３は、６４という固定されたバンドリングサイズを有し得る。加えて、ＰＵＳＣＨは、１２８という固定されたバンドリングサイズを有し得、ＰＨＩＣＨは、３２という固定されたバンドリングサイズを有し得、ＰＤＣＣＨは、３２という固定されたバンドリングサイズを有し得る。代替的に、ＰＵＳＣＨは、１６という固定されたバンドリングサイズを有し得、ＰＨＩＣＨは、４という固定されたバンドリングサイズを有し得、ＰＤＣＣＨは、４という固定されたバンドリングサイズを有し得る。別の代替形態では、ＰＵＳＣＨは、６４という固定されたバンドリングサイズを有し得、ＰＨＩＣＨは、４または８のいずれかの固定されたバンドリングサイズを有し得、ＰＤＣＣＨは２または４のいずれかの固定されたバンドリングサイズを有し得る。
【００５５】
[0063]  特定の態様によれば、一旦ＵＥが第１のチャネルからシステムを取得すると、ＵＥは、他のチャネルのためのパラメータの残りのまたは制限されたセットを知り得る。例えば、ＰＢＣＨ／ＳＩＢ／ｅＰＤＣＣＨは、バンドルサイズの固定されたマッピングを有し得る。この場合、ＵＥは、ＰＢＣＨが８というバンドルサイズを有することを見出し、次いで、ＵＥは、ＳＩＢが１６というバンドルサイズを有し、ｅＰＤＣＣＨがアグリゲーションレベル（aggregation level）８およびバンドルサイズ８を有することを知り得る。別の例では、ＵＥは、ＰＢＣＨが１６というバンドルサイズを有することを見出し、次いで、ＵＥは、ＳＩＢが３２というバンドルサイズを有し、ｅＰＤＣＣＨがアグリゲーションレベル８およびバンドルサイズ１６を有することを知り得る。
【００５６】
[0064]  諸態様では、ＲＡＣＨについて、ＲＡＣＨのバンドルサイズは、ＰＢＣＨ／ＳＩＢにおいてシグナリングされ得るか、またはＰＢＣＨ／ＳＩＢのＴＴＩバンドルサイズに直接マッピングされ得る。例えば、プライマリ同期信号（ＰＳＳ）／セカンダリ同期信号（ＳＳＳ）／ＰＢＣＨ／ＳＩＢのバンドリングサイズに基づいて、ＲＡＣＨ Ｍｓｇ １、３、５についてのバンドルサイズが決定され得る。
【００５７】
[0065]  特定の態様によれば、１つのチャネルのバンドリングサイズは、異なるチャネルのバンドルサイズに基づいて決定され得る。諸態様では、ＵＥは、ＵＬチャネルについて割り当てられたバンドルサイズに基づいてＤＬチャネルについてのバンドリングサイズを決定し得る。例えば、ＰＵＳＣＨ送信について割り当てられたバンドルサイズに基づいて、ＵＥは、動的なＰＤＣＣＨまたはＰＨＩＣＨについてのバンドルサイズを決定し得る。諸態様では、ＵＥは、ＤＬチャネルについて割り当てられたバンドルサイズに基づいて、ＵＬチャネルについてのバンドリングサイズを決定し得る。例えば、ｅＰＤＣＣＨ／ＰＤＣＣＨについての割り当てられたバンドルサイズに基づいて、ＵＥは、ＰＵＣＣＨ ＡＣＫについてのバンドリングサイズを決定し得る。
【００５８】
[0066]  持続的な割当ては、バンドリングされたＰＤＣＣＨ／ｅＰＤＣＣＨ割当てに起因するオーバーヘッドを低減させるために使用され得る。しかしながら、持続的スケジューリングの１つの欠点は、それがチャネルの変動およびペイロードサイズの変化に適合することができないことである。特定の態様によれば、大きなバンドリングサイズが持続的スケジューリングを介して割り当てられ得、パケットの早期終了が許可され得る。ＵＬ上で、ＵＥは、ＮというＴＴＩバンドルサイズを用いて送信するが、それがＴＴＩバンドル全体を終える前にＵＥがモニタすべきマルチプルなＰＨＩＣＨリソースを提供するようにシグナリングされ得る。これは、動的な許可の変化（dynamic grant change）を避け、ＰＨＩＣＨのオーバーヘッドははるかに少なくなり得、電力ブーストを行うことがより容易になり得る。代替的に、ＵＥは、早期終了および新規の送信の両方を示すための動的なＰＤＣＣＨ許可をモニタすることを指示され得る。諸態様では、命令は、仕様書において、またはシグナリングを介して指示され得る。
【００５９】
[0067]  一例として、ＰＵＳＣＨ送信は、１２８というＴＴＩバンドルサイズについて持続的にスケジューリングされ得るが、ＵＥが６４または９６のＴＴＩバンドルにおいて早期終了することを可能にする。よって、ｅＮＢが早期に復号する場合、それは残りのＴＴＩにわたる送信を停止するようにＵＥにシグナリングし得る。ＰＨＩＣＨは、物理リソースブロック（ＰＲＢ）にさらにマッピングし得る。加えて、ＰＨＩＣＨは、リンクバジェット改善のためにバンドリングされるか、または電力ブーストされ得る。
【００６０】
[0068]  特定の態様によれば、ＰＳは、固定されたＲＢサイズを有し得る。変調および符号化方式（ＭＣＳ）／レートは、制限されたセット内でＵＬペイロードサイズに基づいて適応され得るか、または電力制御および早期終了にリンクされ得る。これは、ＰＤＣＣＨ／ｅＰＤＣＣＨオーバーヘッドおよび電力節約をもたらし得る。ＵＬでは、これは、ＵＥのレート選択、またはフルレート／ハーフレートのｅＮＢブラインド復号などであり得る。
【００６１】
[0069]  特定の態様によれば、早期終了がサポートされる場合、ＵＥは、最大電力で送信を行い、チャネルおよび干渉条件に適応するために早期終了に頼ることができる。早期終了がサポートされない場合、ＵＥは、選択された転送ブロック（ＴＢ）サイズに従って送信電力を自動的に調整し、同じバンドリングされたＴＴＩ送信を継続し得る。特定の態様によれば、ＤＬでは、ｅＮＢは、持続的な割当て（ＵＥがブラインド復号を行い得る）中に複数のレートを提供し得、ＵＥが早期終了のためにＰＨＩＣＨを送信することを可能にする。
【００６２】
[0070]  図５は、本開示の特定の態様による、ワイヤレス通信のための例示的な動作５００を示す。動作５００は、例えば、ワイヤレスデバイスによって実行され得る。動作５００は、５０２において、１つまたは複数の固定されたバンドリングサイズへの、１つまたは複数のアップリンク（例えば、ＰＵＳＣＨ、ＲＡＣＨ Ｍｓｇ １、ＲＡＣＨ Ｍｓｇ ３）またはダウンリンク（例えば、ＰＤＣＣＨ、ＰＢＣＨ、ＰＨＩＣＨ、ＳＩＢ）チャネルのマッピングを決定することから開始し、ここにおいて、各バンドリングサイズは、チャネルがそれらを通じて送信されるべき送信時間間隔（ＴＴＩ）の数を示す。諸態様では、マッピングは、単一の固定されたバンドリングサイズへの、そのチャネルの１対１のマッピングであり得るか、または潜在的なバンドリングサイズのセットへの、チャネルの１対多のマッピングであり得る。
【００６３】
[0071]  ５０４において、ワイヤレスデバイスは、マッピングに基づいて、１つまたは複数のアップリンクまたはダウンリンクチャネルの送信を処理する。例えば、デバイスは、マッピングに従って１つまたは複数のアップリンクまたはダウンリンクチャネルを送信および／または受信し得る。特定の態様によれば、ワイヤレスデバイスは、ブラインド検出を介してセットから使用される実際のバンドリングサイズを決定し得る。諸態様では、ワイヤレスデバイスは、セットからの１つまたは複数のバンドリングサイズを示すシグナリングを受信し得る。
【００６４】
[0072]  諸態様では、１つのチャネルについてのバンドリングサイズは、１つまたは複数の他のチャネルについてのバンドリングサイズを決定づけ（dictate）し得る。例えば、１つまたは複数の他のチャネルの各々についてのバンドリングサイズは、１つのチャネルのバンドリングサイズの数に比例し得る。代替的に、アップリンクチャネルについてのバンドリングサイズは、１つまたは複数のダウンリンクチャネルについてのバンドリングサイズを決定づけ得るか、またはダウンリンクチャネルについてのバンドリングサイズが、１つまたは複数のアップリンクチャネルについてのバンドリングサイズを決定づけ得る。
【００６５】
[0073]  諸態様では、ＲＡＣＨについてのバンドリングサイズは、ＰＢＣＨまたはＳＩＢにおいてシグナリングされ得る。代替的に、ＲＡＣＨについてのバンドリングサイズは、ＰＢＣＨまたはＳＩＢのバンドリングサイズにマッピングされる。諸態様では、Ｍｓｇ １（ＲＡＣＨ）、Ｍｓｇ ２（ＲＡＣＨ応答）、Ｍｓｇ ３、またはＭｓｇ ４のバンドリングサイズは、ＰＳＳ、ＳＳＳ、ＰＢＣＨ、またはＳＩＢのうちの少なくとも１つのバンドリングサイズにマッピングされ得る。諸態様では、ＲＡＣＨメッセージのバンドリングサイズは、異なるＲＡＣＨメッセージのバンドリングサイズに基づいて決定される。例えば、ＲＡＣＨ Ｍｓｇ ２についてのバンドリングサイズは、ＲＡＣＨ Ｍｓｇ １またはＲＡＣＨ Ｍｓｇ ３についてのバンドリングサイズに基づいて決定され得る。
【００６６】
[0074]  図６は、本開示の特定の態様による、ワイヤレス通信のための例示的な動作６００を示す。動作６００は、例えば、ワイヤレスデバイスによって実行され得る。動作６００は、６０２において、少なくとも１つのチャネルの送信のために使用されるべき送信時間間隔（ＴＴＩ）の数を指定するバンドリングサイズについて持続的スケジューリング（ＰＳ）割当てを決定することから開始し得る。
【００６７】
[0075]  ６０４において、ワイヤレスデバイスは、１つまたは複数のＴＴＩにおいて少なくとも１つのチャネルを送信する。
【００６８】
[0076]  ６０６において、ワイヤレスデバイスは、受信デバイスが少なくとも１つのチャネルの受信に成功したというインジケーションを（例えば、ＰＤＣＣＨ許可、またはＰＨＩＣＨを介して）受信することに応答して、バンドリングサイズによって指定されたＴＴＩの数に到達する前に、少なくとも１つのチャネルの送信を終了させる。
【００６９】
[0077]  図７は、本開示の特定の態様による、ワイヤレス通信のための動作７００の例を示す。動作７００は、例えば、ワイヤレスデバイスによって実行され得る。動作７００は、７０２において、少なくとも１つのチャネルの送信のために使用されるべき送信時間間隔（ＴＴＩ）の数を指定するバンドリングサイズについて持続的スケジューリング（ＰＳ）割当てのインジケーションを受信することから開始し得る。
【００７０】
[0078]  ７０４において、ワイヤレスデバイスは、１つまたは複数のＴＴＩにおいて少なくとも１つのチャネルを受信する。
【００７１】
[0079]  ７０６において、ワイヤレスデバイスは、少なくとも１つのチャネルが成功裏に受信された場合、バンドリングサイズによって指定されたＴＴＩの数に到達する前に少なくとも１つのチャネルの送信を終了させるためのインジケーションを（例えば、ＰＤＣＣＨ許可、ｅＰＤＣＣＨ、ＰＨＩＣＨ、あるいはＰＤＣＣＨ、ｅＰＤＣＣＨ、またはＰＨＩＣＨのバンドリングされたバージョンを介して）送信する。
【００７２】
[0080]  図８は、本開示の特定の態様による、ワイヤレス通信のための例示的な動作８００を示す。動作８００は、例えば、ワイヤレスデバイスによって実行され得る。動作８００は、８０２において、少なくとも１つのチャネルを送信するためにリソースブロック（ＲＢ）の固定された数についての持続的スケジューリング（ＰＳ）割当て（例えば、ＴＴＩのバンドルサイズを示す）を決定することから開始し得る。
【００７３】
[0081]  ８０４において、ワイヤレスデバイスは、少なくとも１つのチャネルを送信するときに、少なくとも１つの変調および符号化方式（ＭＣＳ）、レート、または送信電力を調整する。例えば、ワイヤレスデバイスは、チャネルのペイロードサイズに基づいて、ＭＣＳ、レート、送信電力を調整し得る。諸態様では、ワイヤレスデバイスは、レートまたはＭＣＳの制限されたセット間で調整し得る。特定の態様によれば、ワイヤレスデバイスは、受信デバイスが少なくとも１つのチャネルの受信に成功したというインジケーションを受信することに応答して、バンドリングサイズによって指定されたＴＴＩの数に到達する前に、少なくとも１つのチャネルの送信を終了させ得る。諸態様では、少なくとも１つのチャネルは、アップリンクチャネルであり、調整することは、ＵＥ選択レートにおいてアップリンクチャネルを送信することを備える。
【００７４】
[0082]  図９は、本開示の特定の態様による、ワイヤレス通信のための動作９００の例を示す。動作９００は、例えば、ワイヤレスデバイスによって実行され得る。動作９００は、９０２において、少なくとも１つのチャネルを送信するためにリソースブロック（ＲＢ）の固定された数のための持続的スケジューリング（ＰＳ）割当てを決定すること（例えば、ＴＴＩのバンドルサイズを示すこと）から開始し得る。
【００７５】
[0083]  ９０４では、ワイヤレスデバイスは、少なくとも１つのチャネルの送信を処理（例えば、調整されたレートを決定するためにブラインド検出）し、ここにおいて、変調および符号化方式（ＭＣＳ）、レート、または送信電力のうちの少なくとも１つは、少なくとも１つのチャネルを送信するときに調整され得る。例えば、ワイヤレスデバイスは、チャネルのペイロードサイズに基づいて、ＭＣＳ、レート、または送信電力を調整し得る。諸態様では、ワイヤレスデバイスは、レートまたはＭＣＳの制限されたセット間で調整され得る。諸態様では、ワイヤレスデバイスは、ＰＳ割当て内の利用可能なレートのセットを示すシグナリングを受信し得る。
【００７６】
[0084]  特定の態様によれば、ワイヤレスデバイスは、受信デバイスが少なくとも１つのチャネルの受信に成功したというインジケーションを受信することに応答して、バンドリングサイズによって指定されたＴＴＩの数に到達する前に、少なくとも１つのチャネル送信を終了させ得る。諸態様では、少なくとも１つのチャネルは、アップリンクチャネルであり、調整することは、ＵＥ選択レートにおいてアップリンクチャネルを送信することを備える。
【００７７】
[0085]  「または」という用語は、排他的な「または」というよりはむしろ包括的な「または」を意味することが意図される。すなわち、そうではないと明記されるか、文脈から明確でない限り、例えば「ＸはＡまたはＢを用いる」というフレーズは、本質的に包括的な順列のうち任意のものを意味することが意図される。すなわち、例えば、「ＸはＡまたはＢを用いる」という句は、ＸがＡを用いる場合、ＸがＢを用いる場合、またはＸがＡとＢの両方を用いる場合のいずれによっても満たされる。さらに、本願および添付の請求項で使用される冠詞「ａ」および「ａｎ」は、特に規定されない限り、または単数形を示すことが文脈から明白でない限り、概して「１つまたは複数」を意味するものと解釈されるべきである。本明細書で使用される場合、項目のリスト「のうちの少なくとも１つ」に関する句は、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、及びａ−ｂ−ｃをカバーすることが意図される。
【００７８】
[0086]  前述された方法の様々な動作は、対応する機能を実行することができる任意の適切な手段によって実行され得る。手段は、回路、特定用途向け集積回路（ＡＳＩＣ）、またはプロセッサを含むがそれらに限定されない、様々なハードウェアおよび／またはソフトウェア／ハードウェアコンポーネントおよび／またはモジュールを含み得る。一般に、図面に図示された動作が存在する場合、これらの動作は、任意の適切な同じ符番を付された対応するミーンズプラスファンクションコンポーネントによって行われ得る。
【００７９】
[0087]  当業者は、情報および信号が、様々な異なる技術および技法のいずれかを使用して表され得ることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、またはこれらの組み合わせによって表され得る。
【００８０】
[0088]  当業者はさらに、本明細書の開示に関連して説明される様々な実例となる論理ブロック、モジュール、回路、アルゴリズムステップが電子ハードウェア、ソフトウェア／ファームウェア、または両方の組み合わせとして実装され得ることを理解するだろう。このハードウェアおよびソフトウェア／ファームウェアの互換性を明確に示すために、様々な実例となるコンポーネント、ブロック、モジュール、回路、およびステップが、概してそれらの機能の観点から上記で説明されている。このような機能が、ハードウェアとして実現されるかソフトウェア／ファームウェアとして実現されるかは、特定のアプリケーションおよびシステム全体に課せられる設計制約に依存する。当業者は、各々の特定のアプリケーションに関して、多様な方法で説明された機能を実装し得るが、このような実装の決定は、本開示の範囲からの逸脱を引き起こしていると解釈されるべきではない。
【００８１】
[0089]  本明細書の開示に関連して説明される様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理回路、ディスクリートゲートまたはトランジスタロジック、ディスクリートハードウェアコンポーネント、あるいは、本明細書で説明される機能を実行するように設計されたそれらのいずれかの組み合わせで実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、例えば、ＤＳＰとマイクロプロセッサ、複数のマイクロプロセッサ、ＤＳＰコアと連動した１つまたは複数のマイクロプロセッサ、または任意の他のそのような構成の組み合わせなどの、コンピューティングデバイスの組み合わせとして実装され得る。
【００８２】
[0090]  本明細書の開示に関連して説明されるアルゴリズムまたは方法のステップは、直接的にハードウェアで、プロセッサによって実行されるソフトウェア／ファームウェアモジュールで、またはそれらの組み合わせで具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（相変化メモリ）レジスタ、ハードディスク、リムーバブルディスク、ＣＤ−ＲＯＭ、または当技術分野で既知である他の形態の記憶媒体に存在し得る。例示的な記憶媒体は、プロセッサがこの記憶媒体から情報を読み取り、またこの記憶媒体に情報を書き込むことができるように、プロセッサに結合される。代替的に、記憶媒体はプロセッサに統合され得る。プロセッサおよび記憶媒体はＡＳＩＣに存在し得る。ＡＳＩＣは、ユーザ端末内に存在し得る。代替として、プロセッサおよび記憶媒体は、ユーザ端末内にディスクリートコンポーネントとして存在し得る。
【００８３】
[0091]  １つまたは複数の例示的な設計では、説明される機能は、ハードウェア、ソフトウェア／ファームウェア、またはそれらの任意の組み合わせで実現され得る。ソフトウェア／ファームウェアで実装される場合、機能は、コンピュータ読取可能媒体上で、１つまたは複数の命令またはコードとして送信または記憶され得る。コンピュータ読取可能媒体は、１つの場所から別の場所へのコンピュータプログラムの転送を容易にする任意の媒体を含む通信媒体とコンピュータ記憶媒体との両方を含む。記憶媒体は、汎用コンピュータまたは専用コンピュータによってアクセスされ得る任意の利用可能な媒体であり得る。限定ではなく、例として、このようなコンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置または他の磁気記憶デバイス、あるいは、命令またはデータ構造の形態で望ましいプログラムコード手段を搬送または記憶するために使用されることができ、かつ、汎用または専用コンピュータ、あるいは汎用または専用プロセッサによってアクセスされ得る任意の他の媒体を備え得る。また、任意の接続は、適切にコンピュータ可読媒体と呼ばれ得る。例えば、ソフトウェアが、ウェブサイトから、サーバから、あるいは、同軸ケーブル、ファイバ光ケーブル、ツイストペア、デジタル加入者線（ＤＳＬ）、または赤外線、無線、マイクロ波のようなワイヤレス技術を使用している他の遠隔ソースから送信された場合、同軸ケーブル、ファイバ光ケーブル、ツイストペア、ＤＳＬ、あるいは、赤外線、無線、マイクロ波などのワイヤレス技術は、媒体の定義に含まれる。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ディスクが磁気的にデータを再生する一方、ディスクはレーザーを用いて光学的にデータを再生する。上記の組み合わせもまた、コンピュータ読取可能媒体の範囲内に含まれるべきである。
【００８４】
[0092]  本開示の先の説明は、当業者が、本開示を製造または使用することを可能にするために提供される。本開示に対する様々な変更は、当業者には容易に明らかであり、本明細書で定義された包括的な原理は、本開示の精神または範囲から逸脱することなく他の変形に適用され得る。よって、本開示は、本明細書で説明される実例および設計に限定されることが意図されるものではなく、本明細書で開示される原理および新規の特徴と一致する最大範囲であると認められるべきである。
【図１】
2019075790.tif 000003
【図２】
2019075790.tif 000004
【図３】
2019075790.tif 000005
【図４】
2019075790.tif 000006
【図５】
2019075790.tif 000007
【図６】
2019075790.tif 000008
【図７】
2019075790.tif 000009
【図８】
2019075790.tif 000010
【図９】
2019075790.tif 000011
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、前記１つまたは複数のアップリンクまたはダウンリンクチャネル上の送信がそれらを通じて送られるまたは受信されるべき送信時間間隔（ＴＴＩ）の数を示し、ここにおいて、前記１つまたは複数のアップリンクまたはダウンリンクチャネルについてのバンドリングサイズが、１つまたは複数の他のチャネルについてのバンドリングサイズを決定づける、
前記マッピングに基づいて前記１つまたは複数のアップリンクまたはダウンリンクチャネル上の１つまたは複数の送信を処理することと
を備える、方法。
【請求項２】
アップリンクチャネルについてのバンドリングサイズは、１つまたは複数のダウンリンクチャネルについてのバンドリングサイズを決定づける、請求項１に記載の方法。
【請求項３】
ダウンリンクチャネルについてのバンドリングサイズは、１つまたは複数のアップリンクチャネルについてのバンドリングサイズを決定づける、請求項１に記載の方法。
【請求項４】
物理ブロードキャストチャネル（ＰＢＣＨ）についてのバンドリングサイズは、システム情報ブロック（ＳＩＢ）および拡張された物理ダウンリンク制御チャネル（ＰＤＣＣＨ）についてのバンドリングサイズを決定づける、請求項１に記載の方法。
【請求項５】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、請求項１に記載の方法。
【請求項６】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、請求項１に記載の方法。
【請求項７】
前記マッピングは、プライマリ同期信号（ＰＳＳ）、セカンダリ同期信号（ＳＳＳ）、物理ブロードキャストチャネル（ＰＢＣＨ）、またはシステム情報ブロック（ＳＩＢ）のうちの少なくとも１つのバンドリングサイズに、ランダムアクセスチャネル（ＲＡＣＨ）Ｍｓｇ １、ＲＡＣＨ Ｍｓｇ ２、ＲＡＣＨ Ｍｓｇ ３、またはＲＡＣＨ Ｍｓｇ ４のうちの少なくとも１つのバンドリングサイズをマッピングすることを備える、請求項１に記載の方法。
【請求項８】
異なるＲＡＣＨメッセージのバンドリングサイズに基づく第１のＲＡＣＨメッセージのバンドリングサイズをさらに備える、請求項７に記載の方法。
【請求項９】
前記１つまたは複数のアップリンクまたはダウンリンクチャネルチャネルは、物理アップリンク共有チャネル（ＰＵＳＣＨ）、ランダムアクセスチャネル（ＲＡＣＨ）Ｍｓｇ １、またはＲＡＣＨ Ｍｓｇ ３のうちの少なくとも１つを備える、請求項１に記載の方法。
【請求項１０】
前記１つまたは複数のアップリンクまたはダウンリンクチャネルは、物理ダウンリンク制御チャネル（ＰＤＣＣＨ）、物理ブロードキャストチャネル（ＰＢＣＨ）、物理ハイブリッド自動再送要求（ＨＡＲＱ)インジケータチャネル（ＰＨＩＣＨ）、またはシステム情報ブロック（ＳＩＢ）のうちの少なくとも１つを備える、請求項１に記載の方法。
【請求項１１】
前記処理することは、アップリンクチャネルについての割り当てられたバンドリングサイズに基づいて、ダウンリンクチャネルについてのバンドリングサイズを識別することを備える、請求項１に記載の方法。
【請求項１２】
前記処理することは、物理アップリンク共有チャネル（ＰＵＳＣＨ）について割り当てられたバンドリングサイズに基づいて、物理ダウンリンク制御チャネル（ＰＤＣＣＨ）または物理ハイブリッド自動再送要求（ＨＡＲＱ)インジケータチャネル（ＰＨＩＣＨ）のうちの少なくとも１つについてのバンドリングサイズを識別することを備える、請求項１１に記載の方法。
【請求項１３】
前記処理することは、ダウンリンクチャネルについてのバンドリングサイズに基づいてアップリンクチャネルについてのバンドリングサイズを識別することを備える、請求項１に記載の方法。
【請求項１４】
前記処理することは、拡張された物理ダウンリンク制御チャネル（ｅＰＤＣＣＨ）またはＰＤＣＣＨについてのバンドリングサイズに基づいて、物理アップリンク制御チャネル（ＰＵＣＣＨ）肯定応答（ＡＣＫ）についてのバンドリングサイズを識別することを備える、請求項１３に記載の方法。
【請求項１５】
前記処理することは、前記マッピングに従って前記１つまたは複数のアップリンクまたはダウンリンクチャネルを送信することを備える、請求項１に記載の方法。
【請求項１６】
前記処理することは、前記マッピングに従って送信された前記１つまたは複数のアップリンクまたはダウンリンクチャネルを受信することを備える、請求項１に記載の方法。
【請求項１７】
前記マッピングすることは、前記１つまたは複数のアップリンクまたはダウンリンクチャネルのうちの、少なくとも１つのチャネルについて、前記１つまたは複数の固定されたバンドリングサイズのうちの単一のバンドリングサイズへの前記少なくとも１つのチャネルの１対１のマッピングを備える、請求項１に記載の方法。
【請求項１８】
前記マッピングすることは、前記１つまたは複数のアップリンクまたはダウンリンクチャネルのうちの、少なくとも１つのチャネルについて、潜在的なバンドリングサイズのセットへの前記少なくとも１つのチャネルの一対多のマッピングを備える、請求項１に記載の方法。
【請求項１９】
ブラインド検出を介して潜在的なバンドリングサイズの前記セットから実際のバンドリングサイズを決定することをさらに備える、請求項１８に記載の方法。
【請求項２０】
潜在的なバンドリングサイズの前記セットからの１つまたは複数のバンドリングサイズを示すシグナリングを受信することをさらに備える、請求項１９に記載の方法。
【請求項２１】
ワイヤレスデバイスによるワイヤレス通信のための装置であって、
１つまたは複数の固定されたバンドリングサイズへの、１つまたは複数のアップリンクまたはダウンリンクチャネルのマッピングを決定するための手段と、ここにおいて、前記１つまたは複数の固定されたバンドリングサイズの各々は、前記１つまたは複数のアップリンクまたはダウンリンクチャネル上の送信がそれらを通じて送られるまたは受信されるべき送信時間間隔（ＴＴＩ）の数を示し、ここにおいて、前記１つまたは複数のアップリンクまたはダウンリンクチャネルについてのバンドリングサイズが、１つまたは複数の他のチャネルについてのバンドリングサイズを決定づける、
前記マッピングに基づいて前記１つまたは複数のアップリンクまたはダウンリンクチャネル上の１つまたは複数の送信を処理するための手段と
を備える、装置。
【請求項２２】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、請求項２１に記載の装置。
【請求項２３】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、請求項２１に記載の装置。
【請求項２４】
前記処理することは、アップリンクチャネルについての割り当てられたバンドリングサイズに基づいてダウンリンクチャネルについてのバンドリングサイズを識別することを備える、請求項２１に記載の装置。
【請求項２５】
前記マッピングすることは、前記１つまたは複数のアップリンクまたはダウンリンクチャネルのうちの、少なくとも１つのチャネルについて、前記１つまたは複数の固定されたバンドリングサイズのうちの単一のバンドリングサイズへの前記少なくとも１つのチャネルの１対１のマッピングを備える、請求項２１に記載の装置。
【請求項２６】
前記マッピングすることは、前記１つまたは複数のアップリンクまたはダウンリンクチャネルのうちの、少なくとも１つのチャネルについて、潜在的なバンドリングサイズのセットへの前記少なくとも１つのチャネルの一対多のマッピングを備える、請求項２１に記載の装置。
【請求項２７】
ワイヤレスデバイスによるワイヤレス通信のための装置であって、
少なくとも１つのプロセッサであって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、前記１つまたは複数のアップリンクまたはダウンリンクチャネル上の送信がそれらを通じて送られるまたは受信されるべき送信時間間隔（ＴＴＩ）の数を示し、ここにおいて、前記１つまたは複数のアップリンクまたはダウンリンクチャネルについてのバンドリングサイズが、１つまたは複数の他のチャネルについてのバンドリングサイズを決定づける、
前記マッピングに基づいて前記１つまたは複数のアップリンクまたはダウンリンクチャネル上の１つまたは複数の送信を処理することと
を行うように構成された少なくとも１つのプロセッサと、
前記少なくとも１つのプロセッサに結合されたメモリと
を備える、装置。
【請求項２８】
命令を記憶した非一時的なコンピュータ読取可能な媒体であって、前記命令は、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、前記１つまたは複数のアップリンクまたはダウンリンクチャネル上の送信がそれらを通じて送られるまたは受信されるべき送信時間間隔（ＴＴＩ）の数を示し、ここにおいて、前記１つまたは複数のアップリンクまたはダウンリンクチャネルについてのバンドリングサイズが、１つまたは複数の他のチャネルについてのバンドリングサイズを決定づける、
前記マッピングに基づいて前記１つまたは複数のアップリンクまたはダウンリンクチャネル上の１つまたは複数の送信を処理することと
を行うために１つまたは複数のプロセッサによって実行可能である、非一時的なコンピュータ読取可能な媒体。
【手続補正２】
【補正対象書類名】明細書
【補正対象項目名】００５２
【補正方法】変更
【補正の内容】
【００５２】
[0060]  本開示の態様は、マシン型通信（ＭＴＣ）のための拡張された送信時間間隔（ＴＴＩ）バンドリング設計のための技法を提供する。ＴＴＩバンドリングサイズは、１対１または１対多のマッピングによって固定され得る。あるチャネルについてのバンドリングサイズは、別のチャネルによって信号のために使用されるバンドリングサイズに基づいて決定され（determined）（または決定づけられ（dictated））得る。持続的スケジューリングはまた、チャネルを送信するために使用されることができ、ここで、変調および符号化方式（ＭＣＳ）、レート、または送信電力は、チャネルの送信のために調整され得る。
【手続補正３】
【補正対象書類名】明細書
【補正対象項目名】００８４
【補正方法】変更
【補正の内容】
【００８４】
[0092]  本開示の先の説明は、当業者が、本開示を製造または使用することを可能にするために提供される。本開示に対する様々な変更は、当業者には容易に明らかであり、本明細書で定義された包括的な原理は、本開示の精神または範囲から逸脱することなく他の変形に適用され得る。よって、本開示は、本明細書で説明される実例および設計に限定されることが意図されるものではなく、本明細書で開示される原理および新規の特徴と一致する最大範囲であると認められるべきである。
以下に、本願出願の当初の特許請求の範囲に記載された発明を付記する。
［Ｃ１］
ワイヤレスデバイスによるワイヤレス通信のための方法であって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を備える、方法。
［Ｃ２］
チャネルについてのバンドリングサイズは、１つまたは複数の他のチャネルについてのバンドリングサイズを決定づける、Ｃ１に記載の方法。
［Ｃ３］
アップリンクチャネルについてのバンドリングサイズは、１つまたは複数のダウンリンクチャネルについてのバンドリングサイズを決定づける、Ｃ２に記載の方法。
［Ｃ４］
ダウンリンクチャネルについてのバンドリングサイズは、１つまたは複数のアップリンクチャネルについてのバンドリングサイズを決定づける、Ｃ２に記載の方法。
［Ｃ５］
物理ブロードキャストチャネル（ＰＢＣＨ）についてのバンドリングサイズは、システム情報ブロック（ＳＩＢ）および拡張された物理ダウンリンク制御チャネル（ＰＤＣＣＨ）についてのバンドリングサイズを決定づける、Ｃ３に記載の方法。
［Ｃ６］
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、Ｃ１に記載の方法。
［Ｃ７］  
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、Ｃ１に記載の方法。
［Ｃ８］  
前記マッピングは、プライマリ同期信号（ＰＳＳ）、セカンダリ同期信号（ＳＳＳ）、物理ブロードキャストチャネル（ＰＢＣＨ）、またはシステム情報ブロック（ＳＩＢ）のうちの少なくとも１つのバンドリングサイズに、Ｍｓｇ １（ランダムアクセスチャネル（ＲＡＣＨ））、Ｍｓｇ ２（ＲＡＣＨ応答）、Ｍｓｇ ３、またはＭｓｇ ４のうちの少なくとも１つのバンドリングサイズをマッピングすることを備える、Ｃ１に記載の方法。
［Ｃ９］
異なるＲＡＣＨメッセージのバンドリングサイズに基づく第１のＲＡＣＨメッセージのバンドリングサイズをさらに備える、Ｃ８に記載の方法。
［Ｃ１０］
前記１つまたは複数のアップリンクまたはダウンリンクチャネルチャネルは、
物理アップリンク共有チャネル（ＰＵＳＣＨ）、ランダムアクセスチャネル（ＲＡＣＨ）Ｍｓｇ １、またはＲＡＣＨ Ｍｓｇ ３のうちの少なくとも１つ
を備える、Ｃ１に記載の方法。
［Ｃ１１］  
前記１つまたは複数のアップリンクまたはダウンリンクチャネルは、物理ダウンリンク制御チャネル（ＰＤＣＣＨ）、物理ブロードキャストチャネル（ＰＢＣＨ）、物理ＨＡＲＱインジケータチャネル（ＰＨＩＣＨ）、またはシステム情報ブロック（ＳＩＢ）のうちの少なくとも１つを備える、Ｃ１に記載の方法。
［Ｃ１２］  
前記処理することは、アップリンクチャネルについての割り当てられたバンドリングサイズに基づいて、ダウンリンクチャネルについてのバンドリングサイズを識別することを備える、Ｃ１に記載の方法。
［Ｃ１３］  
前記処理することは、物理アップリンク共有チャネル（ＰＵＳＣＨ）について割り当てられたバンドリングサイズに基づいて、物理ダウンリンク制御チャネル（ＰＤＣＣＨ）または物理ＨＡＲＱインジケータチャネル（ＰＨＩＣＨ）のうちの少なくとも１つについてのバンドリングサイズを識別することを備える、Ｃ１２に記載の方法。
［Ｃ１４］
前記処理することは、ダウンリンクチャネルについてのバンドリングサイズに基づいてアップリンクチャネルについてのバンドリングサイズを識別することを備える、Ｃ１に記載の方法。
［Ｃ１５］
前記処理することは、拡張された物理ダウンリンク制御チャネル（ＰＤＣＣＨ）またはＰＤＣＣＨについてのバンドリングサイズに基づいて、物理アップリンク制御チャネル（ＰＵＣＣＨ）肯定応答（ＡＣＫ）についてのバンドリングサイズを識別することを備える、Ｃ１４に記載の方法。
［Ｃ１６］
前記処理することは、前記マッピングに従って前記１つまたは複数のアップリンクまたはダウンリンクチャネルを送信することを備える、Ｃ１に記載の方法。
［Ｃ１７］
前記処理することは、前記マッピングに従って送信された前記１つまたは複数のアップリンクまたはダウンリンクチャネルを受信することを備える、Ｃ１に記載の方法。
［Ｃ１８］
前記マッピングすることは、少なくとも１つのチャネルについて、単一の固定バンドリングサイズへの前記チャネルの１対１のマッピングを備える、Ｃ１に記載の方法。
［Ｃ１９］
前記マッピングすることは、少なくとも１つのチャネルについて、潜在的なバンドリングサイズのセットへの前記チャネルの一対多のマッピングを備える、Ｃ１に記載の方法。    ［Ｃ２０］
ブラインド検出を介して潜在的なバンドリングサイズの前記セットから使用される実際のバンドリングサイズを決定することをさらに備える、Ｃ１９に記載の方法。
［Ｃ２１］
潜在的なバンドリングサイズの前記セットからの１つまたは複数のバンドリングサイズを示すシグナリングを受信することをさらに備える、Ｃ２０に記載の方法。
［Ｃ２２］  
ワイヤレスデバイスによるワイヤレス通信のための装置であって、
１つまたは複数の固定されたバンドリングサイズへの、１つまたは複数のアップリンクまたはダウンリンクチャネルのマッピングを決定するための手段と、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理するための手段と
を備える、装置。
［Ｃ２３］
チャネルについてのバンドリングサイズは、１つまたは複数の他のチャネルについてのバンドリングサイズを決定づける、Ｃ２２に記載の装置。
［Ｃ２４］
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、Ｃ２２に記載の装置。
［Ｃ２５］
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、Ｃ２２に記載の装置。
［Ｃ２６］
前記処理することは、アップリンクチャネルについての割り当てられたバンドリングサイズに基づいてダウンリンクチャネルについてのバンドリングサイズを識別することを備える、Ｃ２２に記載の装置。
［Ｃ２７］
前記マッピングすることは、少なくとも１つのチャネルについて、単一の固定バンドリングサイズへの前記チャネルの１対１のマッピングを備える、Ｃ２２に記載の装置。
［Ｃ２８］
前記マッピングすることは、少なくとも１つのチャネルについて、潜在的なバンドリングサイズのセットへの前記チャネルの一対多のマッピングを備える、Ｃ２２に記載の装置。
［Ｃ２９］
ワイヤレスデバイスによるワイヤレス通信のための装置であって、
少なくとも１つのプロセッサであって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を行うように構成された少なくとも１つのプロセッサと、
前記少なくとも１つのプロセッサに結合されたメモリと
を備える、装置。
［Ｃ３０］
命令を記憶したコンピュータ読取可能な媒体を備えるワイヤレス通信のためのコンピュータプログラム製品であって、前記命令は、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を行うために１つまたは複数のプロセッサによって実行可能である、コンピュータプログラム製品。
【外国語明細書】
2019075790000001.pdf